(57)【特許請求の範囲】
【請求項１】
フライバックトランスに電流を供給するラインに設けられた電流検出抵抗と、この電流検出抵抗に過電流が流れたときにエラー信号を発生するエラー信号発生回路と、前記電流検出抵抗をバイパスして前記保護対象回路に直接に電流を供給し得るバイパススイッチ回路と、前記バイパススイッチ回路の導通と非導通を制御する制御信号供給部と、から成ることを特徴とする過電流保護回路。
【請求項２】
請求項１に記載の過電流保護回路において、前記制御信号供給部は周期信号を前記バイパススイッチ回路に供給するように構成されたことを特徴とする過電流保護回路。
【請求項３】
請求項１に記載の過電流保護回路において、前記制御信号供給部は垂直同期信号に対応した周期信号を前記バイパススイッチ回路に供給し、垂直帰線期間のみ前記電流検出抵抗に電流が流れるように構成されたことを特徴とする過電流保護回路。
【発明の詳細な説明】
【０００１】
【産業上の利用分野】
この発明は、保護対象となる回路に過電流が流れた場合に電流供給を停止させる等のための信号を発生する過電流保護回路に関する。
【０００２】
【従来の技術】
従来より、テレビジョン受像管には、フライバックトランスに過電流が流れた場合に電流供給を停止させるためのエラー信号を発生する過電流保護回路が設けられている。図２は、フライバックトランスＦＢＴ、水平出力回路２、及び従来の過電流保護回路３を示している。水平出力回路２は、トランジスタＴｒ３、共振コンデンサーＣ３、及びＳ字補正コンデンサーＣ４から成り、トランジスタＴｒ３のベースに入力した水平パルス信号によって、のこぎり波状の電流を生成し、これを水平偏向ヨークＤＹに供給する。フライバックトランスＦＢＴは、前記水平出力回路２内に生じるフライバックパルスを利用して受像管や他の回路などに電源を供給する。過電流保護回路３は、フライバックトランスＦＢＴにおける巻線間ショートやダイオード破壊などによって当該フライバックトランスＦＢＴに過電流が流れた場合に、電流供給を停止させるためのエラー信号（ＰｐｗｅｒＥＲＲ）を発生する。
【０００３】
過電流保護回路３は、電源ＶｃｃからフライバックトランスＦＢＴに電流を供給するラインに設けられた電流検出抵抗Ｒ１１、この電流検出抵抗Ｒ１１に過電流が流れたときにエラー信号を発生するトランジスタＴｒ４、ツェナーダイオードＺＤ、抵抗Ｒ１２，１３，１４、及びエラー信号取出用の抵抗Ｒ１５，１６から成る。この過電流保護回路３では、フライバックトランスＦＢＴに過電流が流れると、電流検出抵抗Ｒ１１において大きな電圧降下が生じる。この電圧降下によって電流検出抵抗Ｒ１１の両端に所定以上の電位差が生じると、この電位差をエミッタ・ベース間で受けているトランジスタＴｒ４が導通することになる。トランジスタＴｒ４が導通すると、電源Ｖｃｃから抵抗Ｒ１５，Ｒ１６に電流が流れるので、これら抵抗Ｒ１５と抵抗Ｒ１６との接続点に所定値の電圧が生じ、この電圧がエラー信号として取り出されることになる。
【０００４】
【発明が解決しようとする課題】
しかしながら、上記従来の過電流保護回路１２では、電流検出抵抗Ｒ１１に常に電流が流れている。このため、抵抗ロスにより電力消費量が増大し、更に発熱量も多くなるという欠点がある。また、高圧回路や偏向回路の負荷変動によって電流検出抵抗Ｒ１１の電圧降下量が変化するため、各回路に供給される電圧自体も変動し、テレビジョンセットの高圧変動が大きくなる。例えば、テレビジョン受像管の画面が明るくなると、フライバックトランスＦＢＴに流れる電流が増えるため、電流検出抵抗Ｒ１１に流れる電流も増大する。電流検出抵抗Ｒ１１に流れる電流が増大すると、電圧降下が大きくなるため、フライバックトランスＦＢＴが受け取る電圧が低下し、このフライバックトランスＦＢＴによる各回路への電源供給において電圧変動が大きく生じてしまうことになる。
【０００５】
この発明は、上記の事情に鑑み、電流検出抵抗の抵抗ロスによる電力消費量や発熱量の増大を回避し、また、特にテレビジョン受像管に用いる場合においては、高圧回路や偏向回路の負荷変動による影響を軽減できる過電流保護回路を提供することを目的とする。
【０００６】
【課題を解決するための手段】
この発明の過電流保護回路は、上記の課題を解決するために、フライバックトランスに電流を供給するラインに設けられた電流検出抵抗と、この電流検出抵抗に過電流が流れたときにエラー信号を発生するエラー信号発生回路と、前記電流検出抵抗をバイパスして前記保護対象回路に直接に電流を供給し得るバイパススイッチ回路と、前記バイパススイッチ回路の導通と非導通を制御する制御信号供給部と、から成ることを特徴とする。
【０００７】
上記の構成であれば、前記バイパススイッチ回路が非導通のとき、電流検出抵抗を介して保護対象回路に電流が供給されることになり、保護対象回路に過電流が流れた場合には、エラー信号発生回路においてエラー信号が発生されることになる。一方、前記バイパススイッチ回路が導通のときには、このバイパススイッチ回路を通じて保護対象回路に電流が供給されることになり、電流検出抵抗には電流は流れないことになる。すなわち、電流検出抵抗に常に電流が流れるのではなく、電流検出抵抗に電流が流れない期間が得られることになり、この間は抵抗ロスは生じず、電力消費量や発熱量を低減することができる。
【０００８】
前記制御信号供給部は周期信号を前記バイパススイッチ回路に供給するように構成されていてもよい。この構成であれば、周期信号のＨｉｇｈ期間とＬｏｗ期間の比率に対応して電流検出抵抗に流れる電流が減少するから、テレビジョンセットにおける電力消費量や発熱量が低下する。そして、高圧回路や偏向回路の負荷変動が生じたとしても、電流検出抵抗に流れる電流の減少により、電流検出抵抗による電圧降下も小さくなるから、テレビジョンセットにおける高圧変動を軽減することができる。
【０００９】
前記制御信号供給部は垂直同期信号に対応した周期信号を前記バイパススイッチ回路に供給し、垂直帰線期間のみ前記電流検出抵抗に電流が流れるように構成してもよい。この構成であれば、垂直同期信号における垂直帰線期間と垂直走査期間の比率に対応して電流検出抵抗に流れる電流が減少することになる。また、制御信号供給部が周期信号を出力するために別途発振回路を備える必要はなく、テレビジョン受像機に既設の垂直同期信号発生部からの信号によって周期信号を出力することができる。
【００１０】
【発明の実施の形態】
以下、この発明の実施形態を図１に基づいて説明する。
【００１１】
図１は、テレビジョン受像管に設けたフライバックトランスＦＢＴの過電流保護回路１及び水平出力回路２を示した回路図である。水平出力回路２は、トランジスタＴｒ３、共振コンデンサーＣ３、及びＳ字補正コンデンサーＣ４から成り、トランジスタＴｒ３のベースに入力した水平パルス信号によって、のこぎり波状の電流を生成し、これを水平偏向ヨークＤＹに供給する。フライバックトランスＦＢＴは、前記水平出力回路２内に生じるフライバックパルスを利用して受像管や他の回路などに電源を供給する。これら水平出力回路２及びフライバックトランスＦＢＴについては、従来と異なるものではない。また、従来と同様、電流検出抵抗Ｒ１は、電源ＶｃｃからフライバックトランスＦＢＴに電流を供給するライン上に設けられる。
【００１２】
電流検出抵抗Ｒ１に並列接続されたトランジスタＴｒ１は、バイパススイッチ回路を成すものである。このトランジスタＴｒ１のエミッタは電流検出抵抗Ｒ１の一端側（電源Ｖｃｃ側）に接続されており、コレクタは電流検出抵抗Ｒ１の他端側（フライバックトランスＦＢＴ側）に接続されている。そして、トランジスタＴｒ１のベースには、制御信号供給部１ａが接続されている。
【００１３】
制御信号供給部１ａは、抵抗Ｒ２、抵抗Ｒ５、及びＶパルス入力用のコンデンサーＣ１を直列接続したものであり、抵抗Ｒ２の一端側を電源Ｖｃｃに接続し、コンデンサーＣ１の一端側に周期信号（Ｖパルス）を入力するようにしてある。前記バイパススイッチ回路を成すトランジスタＴｒ１のベースは、抵抗Ｒ２と抵抗Ｒ５との接続点に接続されている。周期信号（Ｖパルス）は、垂直同期信号に対応したＨｉｇｈ／Ｌｏｗの周期信号であり、この周期信号によってトランジスタＴｒ１はその導通と非導通を制御される。この実施形態では、Ｌｏｗ期間を垂直走査期間に対応させ、Ｈｉｇｈ期間を垂直帰線期間に対応させている。
【００１４】
エラー信号発生回路１ｂは、電流検出抵抗Ｒ１に過電流が流れたときにエラー信号を発生する回路である。このエラー信号発生回路１ｂは、トランジスタＴｒ２と抵抗Ｒ６とから成り、トランジスタＴｒ２のコレクタと抵抗Ｒ６との接続点においてエラー信号（Ｐｏｗｅｒ  ＥＲＲ）を出力する。トランジスタＴｒ２のエミッタは、抵抗Ｒ４を介して電流検出抵抗Ｒ１の一端側（電源Ｖｃｃ側）に接続されている。電源ＶｃｃとトランジスタＴｒ２のベースと間には、抵抗Ｒ３及びＶパルス充電用のコンデンサーＣ２が接続されている。また、トランジスタＴｒ２のベースは、ダイオードＤを介して電流検出抵抗Ｒ１の一端側（フライバックトランスＦＢＴ側）に接続されている。
【００１５】
次に、過電流保護回路１の動作説明を行う。周期信号（Ｖパルス）のＬｏｗ期間（垂直走査期間に対応する）においては、コンデンサーＣ１は充電許容状態となり、抵抗Ｒ２に電流が流れ、この抵抗Ｒ２をベース・エミッタ間に有する前記トランジスタＴｒ１は、抵抗Ｒ２に電流が流れるときの両端電位差によって導通状態となる。従って、周期信号（Ｖパルス）のＬｏｗ期間である垂直走査期間においては、電源Ｖｃｃからは電流検出抵抗Ｒ１を介さずに、すなわち抵抗Ｒ１をバイパスしてフライバックトランスＦＢＴに電流が供給されることになる。
【００１６】
一方、周期信号（Ｖパルス）のＨｉｇｈ期間（垂直帰線期間に対応する）においては、抵抗Ｒ２には電流は流れず、前記トランジスタＴｒ１は非導通状態となる。従って、周期信号（Ｖパルス）のＨｉｇｈ期間である垂直帰線期間においては、電源Ｖｃｃからは電流検出抵抗Ｒ１を介してフライバックトランスＦＢＴに電流が供給される。
【００１７】
電流検出抵抗Ｒ１には、周期信号（Ｖパルス）に対応して電流が流れ、その両端にはパルス状の電圧が発生するが、Ｖパルス充電用のコンデンサーＣ２によって平滑化され、この平滑化された電流検出抵抗Ｒ１の両端電圧が過電流検出用のトランジスタＴｒ２に印加される。フライバックトランスＦＢＴにおける巻線間ショートやダイオード破壊などが生じると、電流検出抵抗Ｒ１に過電流が流れ、大きな電圧降下が生じる。この電圧降下によって電流検出抵抗Ｒ１の両端に生じる電位差が所定値以上になると、この電位差をエミッタ・ベース間で受けているトランジスタＴｒ２が導通する。これにより、電源Ｖｃｃから抵抗Ｒ４，トランジスタＴｒ２，抵抗Ｒ６に電流が流れ、この抵抗Ｒ６とトランジスタＴｒ２のコレクタとの接続点においてエラー信号（Ｐｏｗｅｒ  ＥＲＲ）が発生する。このエラー信号は図示しないエラー制御部に供給される。
【００１８】
このように、バイパススイッチ回路であるトランジスタＴｒ１を設けたことによって、垂直走査期間には電流検出抵抗Ｒ１へは電流は流れず、電流検出抵抗Ｒ１に流れる電流が大幅に減少する。具体的には、電流検出抵抗Ｒ１に流れる電流は、従来の１／１０程度になる。これにより、テレビジョンセットにおける電力消費量や発熱量を大幅に抑制できる。また、例えば、テレビジョン受像管の画面が明るくなると、フライバックトランスＦＢＴに流れる電流が増えるが、バイパススイッチ回路によって電流検出抵抗Ｒ１に流れる電流は大幅に減少するから、大きな電圧降下は生じない。すなわち、画面の明るさによるテレビジョンセットの高圧変動を軽減することができる。
【００１９】
なお、図１に示した回路は例示であり、バイパススイッチ回路であるトランジスタＴｒ１や制御信号供給部１ａを、例えば、図２に示す従来の過電流保護回路や他の過電流保護回路において組み込むことも可能である。また、バイパススイッチ回路としてｎ型のものを用いたり、バイポーラ型以外のものを用いたりしてもよいし、制御信号供給部１ａについても他の回路構成を採用してもよいものである。また、垂直同期信号に対応した周期信号をバイパススイッチ回路であるトランジスタＴｒ１に供給するようにしたが、このような周期信号以外でも良いものであり、このような周期信号のＨｉｇｈ期間とＬｏｗ期間の比率に対応して電流検出抵抗Ｒ１に流れる電流は減少することになる。ただし、垂直同期信号に対応した周期信号を出力する場合には、テレビジョン受像機に既設の垂直同期信号発生部を利用できる利点がある。また、保護対象回路としてテレビジョン受像管のフライバックトランスＦＢＴを示したが、これに限らず、過電流保護を必要とする他の装置にも適用し得るものである。
【００２０】
【発明の効果】
以上説明したように、この発明によれば、電流検出抵抗をバイパスするバイパススイッチ回路を設けたことにより、電流検出抵抗による抵抗ロスが減少し、電力消費量や発熱量を低減できる。特に、テレビジョン受像管のフライバックトランスに適用するときは、高圧回路や偏向回路の負荷変動が生じても、テレビジョンセットにおける高圧変動を軽減することができるという効果を奏する。
【図面の簡単な説明】
【図１】この発明の実施形態の過電流保護回路及び周辺回路を示した回路図である。
【図２】従来の過電流保護回路及び周辺回路を示した回路図である。
【符号の説明】
１      過電流保護回路
１ａ    制御信号供給部
１ｂ    エラー信号発生回路
２      水平出力回路
Ｒ１    電流検出抵抗
Ｔｒ１  トランジスタ（バイパススイッチ回路）
Ｔｒ２  トランジスタ（エラー信号発生回路用）
ＦＢＴ  フライバックトランス
【図１】
0003548068.tif 000002
【図２】
0003548068.tif 000003